(57)【特許請求の範囲】
【請求項１】
一端が開口されたボックス本体、及び同ボックス本体に脱着可能に取付けられて前記開口を閉鎖する蓋体を有する基板ボックスと、前記基板ボックス内に収容された制御基板とを備える遊技機において、
前記基板ボックス内に貼付けられた封印手段と、前記基板ボックス内に設けられ、かつ前記蓋体の取外し動作にともなう荷重を前記封印手段に伝達し、前記蓋体の取外し前とは異なる形態に変化させる荷重伝達部とをさらに備え、
前記蓋体は、前記基板ボックス内に出入りするねじにより前記ボックス本体に脱着可能に取付けられるものであり、前記荷重伝達部は、前記ねじの回転を、そのねじを緩まる方向にのみ前記封印手段に伝達する回転伝達部を有する
ことを特徴とする遊技機。
【請求項２】
請求項１の遊技機において、前記回転伝達部は、前記ねじがねじ込まれ、かつそのねじを中心に回転し得る回転体と、前記回転体との接触により、前記回転体が前記ねじの締結方向へ回転するのを阻止する回転阻止部とを備え、前記封印手段は、前記回転体と、その近傍に設けられた固定部とに貼付けられていることを特徴とする遊技機。
【請求項３】
請求項１または請求項２の遊技機において、前記封印手段は、前記荷重により破断する破断部を有することを特徴とする遊技機。
【発明の詳細な説明】
【０００１】
【発明の属する技術分野】
本発明は、パチンコ遊技機等の遊技機に関し、より詳しくは、基板ボックスと、その基板ボックスに収容された制御基板とを備え、基板ボックスが不正に開封されたことを検知する開封検知機能を有する遊技機に関するものである。
【０００２】
【従来の技術】
パチンコ遊技機、スロットルマシン等の遊技機では、遊技盤に組込まれた入賞装置、表示装置等を制御して遊技の興趣を盛り上げるものが主流となっている。これらの装置の制御は、マイクロコンピュータを含む多くの電子部品を実装した制御基板により行われる。この制御基板は、一端が開口されたボックス本体と、ねじによりボックス本体に脱着可能に取付けられて、前記開口を閉鎖する蓋体とからなる基板ボックスに収容されている。
【０００３】
ところで、ボックス本体から蓋体を取外して基板ボックスを開封し、遊技内容に関する制御情報が記憶されたメモリ（ＲＯＭ）を制御基板から取外して交換し、遊技内容を変更する不正行為が近年問題となっている。しかし、このように不正行為が行われても、そのことを外見で判別することはなかなか難しい。そこで、蓋体が取外された形跡を手掛かりに基板ボックスの不正開封を検知する手段が種々提案又は実用化されている。
【０００４】
その１つに、粘着液が塗布されたシール材からなる封印シールを、基板ボックスの外面において、ボックス本体と蓋体とにまたがって貼るという手段がある。この封印シールでは、一旦貼られた後に剥がされると、シール材から粘着剤が剥がれ、再度貼ることができないようになっている。封印シールが剥がされた場合には、剥がされる前とは異なる形態となることから、その封印シールの形態を見ることで、基板ボックスが開封されたかどうかを判別することができる。
【０００５】
別の手段として、一般にかしめ切断と呼ばれるものがある。これは、ねじ止め部分が切断されたかどうかを見ることによって開封の有無を判別するものである。例えば、ねじ止め部分として、ボックス本体の側壁外部及び蓋体の側壁外部に、それぞれ円筒状の封印部材が形成され、これらに封印ねじの回転を伝達・遮断する機構が組込まれている。
【０００６】
この機構によると、蓋体をボックス本体にねじ止めするために、封印ねじを締まる方向へ回すと、最初のうちは封印ねじが封印部材のねじ孔に螺合して前進する。封印ねじは、ある程度前進するとねじ孔から外れてロック部材に係合する。この係合により、両封印部材が封印ねじによって連結される。その後、封印ねじが回されても（その方向が締まる方向であっても緩まる方向であっても）、ロック部材との係合により空回りするだけで、ねじ孔には螺合しない。このため、封印ねじを両封印部材から抜出して、それらの連結を解除することができない。
【０００７】
蓋体を取外すには、両封印部材の根元部分を切断し、両封印部材を封印ねじごと、ボックス本体及び蓋体から分離することになる。両封印部材が切断された場合には、本来あるべき封印部材がなくなり、基板ボックスが切断前と異なる形態となることから、その形態を見ることで、基板ボックスが開封されたかどうかを判別することができる。
【０００８】
【発明が解決しようとする課題】
ところが、前記封印シールにより開封を検知する手段は完全なものではなく、最近では、特殊な薬液を用いて封印シールを一旦剥がした後に、再びボックス本体及び蓋体にきれいに貼り直し、元の状態に戻す者が現れている。このように元通りにされると、封印シールの形態を見ただけでは不正開封の有無を判別することが困難である。
【０００９】
また、前記かしめ切断により開封を検知する手段も完全なものではなく、最近では、特殊なカッタを用いて、両封印部材の大部分を残したまま、その封印部材において、ロック部材と封印ねじとの係合部分のみを切断し、封印ねじをねじ孔に螺合して緩め、両封印部材の連結を解除する者が現れている。封印ねじを一旦抜出した後、再び締まる方向へ回して両封印部材を連結することは可能である。このように連結されると、両封印部材の大部分と封印ねじとが残ることから、一見しただけでは、不正開封の有無を判別することが困難である。
【００１０】
このように、いずれの手段も基板ボックスの開封を検知するには十分でない。また、これらの手段を組合せることも考えられるが、開封の形跡を残さないようにする作業に多少手間がかかるようになるものの、その作業が不可能になるわけではなく、有効な手段とはなっていない。そのため、開封を確実に検知できる新たな手段が望まれている。
【００１１】
そこで、本発明の課題は、開封の形跡を見やすい形で確実に残すことができ、基板ボックスの開封の有無を一見して判別することのできる遊技機を提供することである。
【００１２】
【課題を解決するための手段】
上記の課題を解決するための有効な手段を以下に示す。なお、必要に応じてその作用等についても説明する。
【００１３】
手段１．一端が開口されたボックス本体、及び同ボックス本体に脱着可能に取付けられて前記開口を閉鎖する蓋体を有する基板ボックスと、前記基板ボックス内に収容された制御基板とを備える遊技機において、前記基板ボックス内に貼付けられた封印手段と、前記基板ボックス内に設けられ、かつ前記蓋体の取外し動作にともなう荷重を前記封印手段に伝達し、前記蓋体の取外し前とは異なる形態に変化させる荷重伝達部とをさらに備えることを特徴とする遊技機。
【００１４】
前記手段１によると、基板ボックスは、蓋体の取外し前の状態（封印状態）では、ボックス本体に蓋体が取付けられ、その蓋体によりボックス本体の開口が閉鎖されている。基板ボックスの内部には制御基板、封印手段及び荷重伝達部が配置されている。このため、基板ボックスの外部から封印手段に触れて、剥がす等の細工をすることは困難又は不可能である。この細工をするには、一旦蓋体を取外す必要がある。
【００１５】
基板ボックスの開封のために、その基板ボックスから蓋体を取外そうとすると、その取外し動作にともなう荷重が、荷重伝達部により封印手段に伝達される。この伝達により、封印手段が、蓋体の取外し前とは異なる形態に変化する。従って、取外し前の形態と、そのときどきの封印手段の形態とを目視で比較することにより、基板ボックスの開封の有無を判別可能である。両形態に違いがなければ、基板ボックスが開封されていないことが明らかとなり、違いがあれば、開封されたことが明らかとなる。
【００１６】
ところで、開封後に、封印手段を開封前と同じ形態に戻しておけば、蓋体が外された形跡がほとんど残らない。基板ボックスを開封したにもかかわらず、そのことが知られる可能性が低い。そこで、蓋体の取出し操作にともない形態の変化した封印手段を、元の形態に戻すことが考えられる。この作業のしやすさは、封印手段周りの空間の広さに影響される。封印手段が基板ボックスの外面に貼付けられている場合（従来技術に相当）には、その周りに十分な空間があることから、前記の修復作業が比較的しやすい。これに対し、本発明では、封印手段が基板ボックスの内部に貼付けられていて、その周りの空間は、前記の基板ボックスの外の空間よりも狭い。このため、封印手段を元の形態に戻す修復作業はしにくいものとなる。その結果、開封動作にともない変化した封印手段の形態が完全には元通りになりにくい。
【００１７】
手段２．前記手段１において、前記封印手段は、前記荷重により破断する破断部を有することを特徴とする遊技機。
【００１８】
前記手段２によると、基板ボックスの取外し動作にともなう荷重が荷重伝達部により封印手段に伝達されると、破断部が破断し、封印手段が蓋体の取外し前とは異なる形態に変化する。従って、破断部の状態（破断の有無）を目視することにより、基板ボックスの開封の有無を判別可能である。破断されていなければ基板ボックスが開封されていないことが明らかとなり、破断されていれば開封されたことが明らかとなる。
【００１９】
基板ボックスの内部において、一旦破断した破断部を元の状態又はそれに近い状態に戻して、破断されていないかのように見せる作業は、基板ボックスの外部において剥がされた封印手段を貼り直す作業よりも手間がかかる。その結果、開封動作にともない変化した封印手段の形態が元通りにならず、開封の形跡としてより一層残りやすい。
【００２０】
手段３．前記手段１又は２において、前記基板ボックス内に配置され、かつ一端が開口された内ボックス本体と、前記基板ボックス内に配置され、かつ前記内ボックス本体に被せられて前記開口を閉鎖する内蓋体とからなる内ボックスをさらに備え、前記封印手段は前記内ボックスの内部に貼付けられていることを特徴とする遊技機。
【００２１】
前記手段３によると、封印手段が内ボックスの内部に貼付けられているうえに、この内ボックスが基板ボックス内に配置されていることから、封印手段の周りの空間はさらに狭く、封印手段の修復作業は非常にしにくいものとなる。その結果、開封動作にともない変化した封印手段の形態が元通りになりにくく、開封の形跡が一層残りやすい。
【００２２】
手段４．前記手段１〜３のいずれか１つにおいて、前記蓋体は、前記基板ボックス内に出入りするねじにより前記ボックス本体に脱着可能に取付けられるものであり、前記荷重伝達部は、前記ねじの回転を、そのねじを緩まる方向にのみ前記封印手段に伝達する回転伝達部を有することを特徴とする遊技機。
【００２３】
前記手段４によると、蓋体をボックス本体に取付けるために、ねじを締まる方向へ回すと、回転伝達部が機能せず、そのねじの回転は封印手段に伝達されない。従って、封印手段には荷重が加わらず、その形態が変化することはない。これとは逆に、蓋体を取外すためにねじを緩まる方向へ回すと、そのねじの回転は、回転伝達部により封印手段に伝達される。この伝達により、封印手段が、前記蓋体の取外し前とは異なる形態に変化する。
【００２４】
手段５．前記手段４において、前記回転伝達部は、前記ねじがねじ込まれ、かつそのねじを中心に回転し得る回転体と、前記回転体との接触により、前記回転体が前記ねじの締結方向へ回転するのを阻止する回転阻止部とを備え、前記封印手段は、前記回転体と、その近傍に設けられた固定部とに貼付けられていることを特徴とする遊技機。
【００２５】
前記手段５によると、蓋体をボックス本体に取付けるために、ねじを締まる方向へ回すと、そのねじの回転は、ねじを回転軸とする回転体に伝達され、同回転体がねじと同方向へ回転しようとする。しかし、回転体に接触している回転阻止部により、回転体の回転は阻止される。このため、ねじのみが前進して蓋体がボックス本体に締結される。この際、回転体が回転しないことから、その回転体と固定部とに貼付けられている封印手段には、回転による荷重が加わらず、その形態が変化することはない。
【００２６】
これとは逆に、蓋体を取外すために、ねじを緩まる方向へ回すと、そのねじの回転は回転体に伝達される。このときには、回転阻止部による回転阻止力が働かないので、回転体はねじと一体となって回転する。回転体の回転による荷重が封印手段に加わり、この封印手段も回転体と一緒に回転しようとする。ところが、封印手段の一部は固定部に貼付けられている。このため、封印手段は破れたり、剥がれたりする等して、ねじの回転前とは異なる形態に変化する。
【００２７】
手段６．前記手段５において、前記固定部は前記回転体の周囲に設けられ、前記封印手段は、前記回転体の一方の面の略全面にわたって貼付けられるとともに、前記固定部の略全面にわたって貼付けられていることを特徴とする遊技機。
【００２８】
前記手段６によると、基板ボックス内において封印手段が貼付けられる箇所は、回転体の一方の面の略全面と、回転体を取囲む固定部の略全面とからなり、これらの貼付対象面は十分に広い。このため、ボックス本体への蓋体の取付けに先立ち、封印手段を基板ボックスの所望の箇所に貼付ける際に、その貼付作業がしやすい。また、封印手段の変形対象部分が広いため、蓋体を取外すためにねじを緩まる方向へ回したときに、封印手段の形態が大きく変化し、その変化した形態が目立つ。
【００２９】
手段７．前記手段５又は６において、前記封印手段は、前記回転体に貼付けられた可動封印部と、前記固定部に貼付けられた固定封印部とを含むことを特徴とする遊技機。
【００３０】
前記手段７によると、蓋体を取外すためにねじを緩まる方向へ回すと、そのねじの回転は回転体に伝達される。回転体の回転による荷重が封印手段の可動封印部に加わり、この可動封印部も回転体と一緒に回転しようとする。ところが、封印手段の固定封印部は固定部に貼付けられていて動かない。このため、封印手段は剥がれない限り、可動封印部及び固定封印部間で破れて、ねじの回転前とは異なる形態に変化する。
【００３１】
手段８．前記手段７において、前記封印手段は、前記可動封印部及び前記固定封印部間に位置し、かつ前記回転体及び前記固定部のいずれにも貼付けられていない中間封印部をさらに備えることを特徴とする遊技機。
【００３２】
前記手段８によると、蓋体を取外すためにねじを緩まる方向へ回すと、封印手段は剥がれない限り、可動封印部及び固定封印部間の中間封印部において破れて、ねじの回転前とは異なる形態に変化する。
【００３３】
手段９．前記手段８において、前記中間封印部は、前記可動封印部から放射状に延びて、前記可動封印部及び前記固定封印部を連結するものであることを特徴とする遊技機。
【００３４】
前記手段９によると、可動封印部から放射状に延びる複数の中間封印部は他の箇所よりも強度が低い。このため、ねじの回転にともない可動封印部が回転体と一緒に回転しようとすると、封印手段はこれらの中間封印部で破断しやすい。
【００３５】
手段１０．前記手段５において、前記回転体は外周に突起を有し、前記回転阻止部は、前記固定部の内部であって、前記突起に対し、前記ねじの締まる回転方向前方に設けられたストッパにより構成されていることを特徴とする遊技機。
【００３６】
前記手段１０によると、蓋体を取付けるためにねじを締まる方向へ回すと、そのねじの回転は、ねじを回転軸とする回転体に伝達され、同回転体がねじと一緒に回転しようとする。しかし、回転体の外周の突起が固定部のストッパに接触し、回転体のそれ以上の回転が阻止される。このため、ねじのみが前進して蓋体がボックス本体に締結される。この際、回転体が回転しないことから、その回転体と固定部に貼付けられている封印手段には、回転による荷重が加わらず、その形態が変化することはない。
【００３７】
手段１１．前記手段５又は１０において、前記封印手段の貼付けに先立ち、前記回転体を前記回転阻止部に接触させた状態に保持する保持機構をさらに備えることを特徴とする遊技機。
【００３８】
前記手段１１によると、封印手段を回転体及び固定部に貼付ける前には、回転体は保持機構により、回転阻止部に接触した状態に保持される。従って、回転体の取付けのためにねじを回転体にねじ込んだとき、回転阻止部が回転体に接触していることから、回転体は一切回転しない。ねじの回転が封印手段に伝達されるのを確実に阻止することができる。
【００３９】
手段１２．前記手段５〜１１のいずれか１つにおいて、前記ねじはタッピングねじにより構成されていることを特徴とする遊技機。
【００４０】
前記手段１２によると、蓋体をボックス本体に取付けるために、タッピングねじを締まる方向へ回すと、その回転の過程で、回転体に雌ねじが加工される。このようにして形成された雌ねじと、タッピングねじの雄ねじとは、予め雌ねじが形成されたねじ孔にねじが螺合された場合よりも密着する。このため、タッピングねじを緩まる方向へ回したとき、その回転は回転体に確実に伝達され、タッピングねじ及び回転体が一体となって回転する。
【００４１】
【発明の実施の形態】
以下、本発明の遊技機をパチンコ遊技機に具体化した一実施形態について、図１〜３に従って説明する。
【００４２】
パチンコ遊技機の遊技盤（図示略）の裏側には、図１に示すような基板ボックス１が取付けられている。基板ボックス１は、一端（図１の右端）が開口されたボックス本体２と、ボックス本体２に脱着可能に取付けられて、その開口２ａを閉鎖する蓋体３とを有する。これらのボックス本体２及び蓋体３は、いずれもポリカーボネート樹脂等の耐衝撃性に優れた透明な合成樹脂によって形成されている。
【００４３】
蓋体３の取付けのためにタッピングねじ４が用いられている。タッピングねじ４は軸部４ａ及び頭部４ｂからなり、軸部４ａの外周には、時計周り方向へ回されると前進し（締まり）、反時計周り方向へ回されると後退する（緩まる）雄ねじが形成されている。ボックス本体２の側壁部の複数箇所にはねじ止め部５が形成されている。各ねじ止め部５と、蓋体３においてねじ止め部５に対応する箇所とには、孔１０，６があけられている。孔１０，６のうち少なくとも前者は、タッピングねじ４の軸部４ａよりも若干小径の下孔となっている。ここでの下孔とは、雌ねじを有しておらず、タッピングねじ４により雌ねじが形成される予定の孔を意味する。そして、時計周り方向へ回されたタッピングねじ４が、孔６を通り孔１０にねじ込まれることによって、同タッピングねじ４が基板ボックス１内に入り込み、蓋体３がねじ止め部５に締付けられる。
【００４４】
また、蓋体３内の縁部には仕切り壁７が設けられており、この仕切り壁７と蓋体３の側壁部とによって囲まれた空間は、開封検知具（これについては後述する）１１を収容するための収容部８を構成している。
【００４５】
基板ボックス１内には、中央処理装置（ＣＰＵ）、メモリ（ＲＯＭ等）を含む多くの電子部品が実装された制御基板９が収容されている。ＲＯＭには、パチンコ遊技機の遊技内容に関する制御プログラムやデータが記憶されている。
【００４６】
前記収容部８に配置される開封検知具１１は、図１，２に示すように、内ボックス１２と、封印手段としての封印シール２１とを備えている。内ボックス１２は、略四角板状の外観を呈する内ボックス本体１３と、内ボックス本体１３に被せられる内蓋体１４とによって構成されている。内ボックス本体１３及び内蓋体１４のうち少なくとも後者は、光透過性を有する材料、例えば、無色透明、着色透明又は半透明の合成樹脂によって形成されている。内ボックス本体１３には、浅い四角穴状をなす固定部としての第１凹部１５が形成され、さらにその底部には、深い丸穴状をなす第２凹部１６が形成されている。両凹部１５，１６により、内ボックス本体１３は、その一端（図１の右端）において開口されているが、この開口は、内蓋体１４が内ボックス本体１３に被せられることにより閉鎖される。
【００４７】
内ボックス本体１３及び内蓋体１４において、基板ボックス１の孔６，１０に対応する箇所、すなわち、中心部分にはそれぞれ孔１７があけられている。これらの孔１７は、タッピングねじ４の軸部４ａよりも大径であってもよいし、若干小径の下孔であってもよい。さらに、第２凹部１６の底部において、孔１７の同心円上には環状突起１８が形成されている。
【００４８】
封印シール２１は、正方形状の薄いシート材からなる。封印シール２１は、タッピングねじ４の軸部４ａが挿通される孔２２と、孔２２の周りに位置する略円板状の可動シール部２３と、可動シール部２３の周りに位置する中間シール部２４と、中間シール部２４の周りに位置する固定シール部２５とからなる。ここで、可動シール部２３は可動封印部に相当し、中間シール部２５は中間封印部に相当し、固定シール部２５は固定封印部に相当する。中間シール部２４は、封印シール２１において可動シール部２３の周りの部分を、一定角度毎に切抜く（打抜く）ことによって形成されている。換言すると、中間シール部２４は、可動シール部２３から放射状に延びて、可動シール部２３及び固定シール部２５を多数箇所で連結している。これらの中間シール部２４は、蓋体３の取外し動作にともなう荷重により破断される破断部に相当する。封印シール２１は、その固定シール部２５において、第１凹部１５の底部（固定部）の略全面にわたって貼付けられている。
【００４９】
内ボックス１２内には、蓋体３の取外し動作にともなう荷重を封印シール２１に伝達し、蓋体３の取外し前とは異なる形態に変化させるための荷重伝達部が設けられている。ここでは、タッピングねじ４の回転を、そのねじが緩まる方向（反時計周り方向）にのみ封印シール２１に伝達するための回転伝達部２７が設けられ、この回転伝達部２７によって荷重伝達部が構成されている。
【００５０】
図２，３に示すように、回転伝達部２７は、回転体２８及び回転阻止部を備えている。回転体２８は、第２凹部１６よりも小径の略円盤状をなす本体部２９を備えている。本体部２９の中心には孔３１が形成されている。孔３１は、タッピングねじ４の軸部４ａよりも若干小径の下孔となっている。回転体２８は、孔３１にねじ込まれたタッピングねじ４を中心として回転し得る。本体部２９の一方の面（図２の下面）において、孔３１の同心円上には環状凹部３２が形成されており、ここに、前述した環状突起１８が係合されている。この係合により、回転体２８の孔３１が、前記内ボックス本体１３及び内蓋体１４の孔１７に合致している。
【００５１】
回転体２８は外周に突起３３を有している。突起３３は、本体部２９の外側において、孔３１の同心円上に位置する円弧部３４と、その円弧部３４を本体部２９につなぐ連結部３５とからなる。円弧部３４は、その外周面において第２凹部１６の内壁に接触又は接近している。本体部２９の外周面の一部、連結部３５及び円弧部３４によって囲まれた箇所は、係合凹部３６を構成している。前述した封印シール２１の可動シール部２３は、この回転体２８の上面の略全面にわたって貼付けられている。なお、中間シール部２４は、回転体２８及び第１凹部１５のいずれにも貼付けられていない。
【００５２】
回転阻止部は、回転体２８との接触により、タッピングねじ４が締まる方向（時計周り方向）への回転体２８の回転を阻止し、その反対方向へは、回転体２８が回転できるようにし、もって、同方向へのタッピングねじ４の回転を封印シール２１に伝達しようとするものである。回転阻止部は、第２凹部１６内であって、タッピングねじ４が締まる回転方向（時計周り方向）の前方に設けられたストッパ３７により構成されている。ストッパ３７は、孔１７を中心とし、かつ前記連結部３５を通る円周上に位置する円弧状の係合突部３８を備えている。
【００５３】
係合突部３８は、回転体２８の係合凹部３６に係合したり、その係合凹部３６から離脱したりする。これらの互いに係合する係合凹部３６及び係合突部３８と、互いに接触している円弧部３４及び第２凹部１６の壁面とは、封印シール２１の貼付けに先立ち、回転体２８をストッパ３７に接触させた状態に保持するための保持機構を構成している。なお、係合凹部３６及び係合突部３８の組合せと、円弧部３４及び第２凹部１６の組合せとのいずれか一方のみによって保持機構を構成してもよい。
【００５４】
上記構成の開封検知具１１においては、封印シール２１を回転体２８及び第１凹部１５に貼付ける前には、保持機構が機能し、係合突部３８と係合凹部３６との間や、円弧部３４と第２凹部１６の壁面との間に摩擦が生じている。このため、回転体２８に対し、外部から前記摩擦に打勝つ大きさの荷重が加わらない限り、その回転体２８は反時計周り方向へ回転しない。このため、連結部３５を係合突部３８に接触させた状態に保持しつつ、封印シール２１を貼付ける作業を簡単に行うことができる。
【００５５】
また、内ボックス１２内において封印シール２１が貼付けられる箇所（貼付対象面）は、回転体２８の一方の面の略全面と、回転体２８を取囲む第１凹部１５の略全面とからなり、これらの貼付対象面は十分に広い。このため、ボックス本体２への蓋体３の取付けに先立ち、封印シール２１を内ボックス１２の所望の箇所に貼付ける際に、その貼付作業がしやすい。
【００５６】
開封検知具１１が基板ボックス１に組付けられる前の状態（初期状態）では、図３に示すように、係合突部３８が係合凹部３６に係合している。この状態では、連結部３５に係合突部３８の先端が当たっていて、回転体２８はそれ以上時計周り方向へ回転することができない。また、環状突起１８が環状凹部３２に係合していることから、回転体２８が第２凹部１６内で動いて回転中心がずれたり、その回転体２８ががたついたりすることはない。回転体２８は、その孔３１が孔１７に合致した状態に維持される。また、図１に示すように、封印シール２１と内蓋体１４との間には隙間Ｇが生じている。この隙間Ｇは、タッピングねじ４を、図３において矢印αで示す角度（約２７０°）回したときに、回転体２８がタッピングねじ４の長さ方向に沿って移動する長さと略同じである。
【００５７】
次に、前記のように構成された本実施形態の作用及び効果について説明する。基板ボックス１の組付け（蓋体３のボックス本体２への取付け）に際しては、初期状態の開封検知具１１を蓋体３の収容部８内に収容する。蓋体３と収容部８とが同程度の大きさであれば、前記の作業により、開封検知具１１の孔１７，３１が蓋体３の孔６に合致する。この際、内蓋体１４を接着剤等により蓋体３に固定してもよい。また、開封検知具１１を収容部８内に収容する前に、孔１７，３１を孔１０に合致させた状態で、内ボックス本体１３を接着剤等によりねじ止め部５に固定してもよい。次に、蓋体３をボックス本体２に被せて、開封検知具１１をボックス本体２及び蓋体３によって挟み込み、ボックス本体２の開口２ａを閉鎖する（図１参照）。
【００５８】
タッピングねじ４の先端を蓋体３の孔６に入れて、時計周り方向へ回す。この回転により、タッピングねじ４が蓋体３、開封検知具１１、ねじ止め部５の各孔６，１７，３１，１７，１０内を前進する。この前進の過程で、少なくとも孔３１，１０の壁面が螺旋状に削り取られ、雌ねじが加工される。
【００５９】
タッピングねじ４が回転しながら孔３１を通過する際、その回転は、そのタッピングねじ４を回転軸とする回転体２８に伝達され、同回転体２８がタッピングねじ４と同方向へ回転しようとする。しかし、回転体外周の連結部３５が係合突部３８に接触し、しかも係合凹部３６及び係合突部３８の係合により、その接触状態が保持されていることから、回転体２８のそれ以上の回転が阻止される。このため、回転体２８は一切回転することなく静止状態を維持し、タッピングねじ４のみが前進する。タッピングねじ４の先端がねじ止め部５の孔１０にまで進み、同タッピングねじ４の頭部４ｂが蓋体３の孔６に至ると、蓋体３が、開封検知具１１を挟んだ状態でボックス本体２に締結される。
【００６０】
上記タッピングねじ４の回転の際には、前述したように回転体２８が回転しないことから、その回転体２８と第１凹部１５とに貼付けられている封印シール２１には、回転による荷重が加わらず、その形態が変化することはない。
【００６１】
前記締結状態では、基板ボックス１の内部に制御基板９及び開封検知具１１が配置されている。このため、基板ボックス１の外部から封印シール２１に触れて、剥がす等の細工をすることは困難又は不可能である。この細工をするには、一旦蓋体３を取外して基板ボックス１を開封する必要がある。開封しない限り、制御基板９からメモリを取外して交換し、遊技内容を変更する不正行為を行うことは、非常に困難又は不可能である。
【００６２】
一方、基板ボックス１の開封のために、タッピングねじ４を反時計周り方向へ回す。すると、タッピングねじ４が後退するとともに、その回転が回転体２８に伝達される。特に、タッピングねじ４のねじ込みによって孔３１に形成された雌ねじと、タッピングねじ４の雄ねじとは、予め雌ねじが形成されたねじ孔に雄ねじが螺合された場合よりも密着している。このため、タッピングねじ４の反時計周り方向への回転は回転体２８に確実に伝達される。このときには、ストッパ３７による回転阻止力が働かない。このため、回転体２８はタッピングねじ４と一体となって回転する。突起３３も同方向へ回転するため、係合凹部３６及び係合突部３８の係合状態が解かれる。
【００６３】
回転体２８は、タッピングねじ４の後退にともない第２凹部１６の内底面から浮上がる。別の表現をすると、回転体２８は、内蓋体１４側（図１の右側）へ移動する。この際、封印シール２１と内蓋体１４との間に隙間Ｇが設けられていて、回転体２８の浮上がりの妨げとなるものがないので、回転体２８はスムーズに回転する。
【００６４】
回転体２８の回転による荷重は、封印シール２１の可動シール部２３に伝わり、この可動シール部２３も回転体２８と一緒に回転しようとする。ところが、封印シール２１の固定シール部２５は第１凹部１５に貼付けられている。このため、封印シール２１は剥がれない限り、可動シール部２３及び固定シール部２５間の中間シール部２４で変形して（破れて）、タッピングねじ４の回転前とは異なる形態に変化する。特に、本実施形態では、複数の中間シール部２４が可動シール部２３から放射状に延びていて、隣合う中間シール部２４間は切抜き（打抜き）による空隙となっている。各中間シール部２４の強度は他の箇所の強度よりも低くなっている。このため、タッピングねじ４の回転にともない、可動シール部２３が回転体２８と一緒に回転しようとすると、封印シール２１はこれらの中間シール部２４で破断しやすい。
【００６５】
ここで、仮に封印シール２１及び内蓋体１４間に隙間Ｇがないと、すなわち回転体２８が封印シール２１を介して内蓋体１４に当たっていると、両者間の抵抗により、回転体２８が回転しにくい。タッピングねじ４を緩まる方向へ回した場合に回転体２８が回転せず、中間シール部２４が変形しない（破れない）おそれがある。これに対し、本実施形態では隙間Ｇが設けられていて、回転体２８がこの隙間Ｇにおいて抵抗なくスムーズに回転するので、中間シール部２４が確実に変形する（破れる）。
【００６６】
このように、基板ボックス１の開封のために、その基板ボックス１から蓋体３を取外そうとすると、その取外し動作にともなう荷重が、荷重伝達部（回転伝達部２７）により封印シール２１に伝達され、中間シール部２４（破断部）が破断し、封印シール２１が蓋体３の取外し前とは異なる形態に変化する。特に、本実施形態では、前述したように封印シール２１の貼付対象面を広くするために、同封印シール２１を第１凹部１５と同程度の大きさにしていることから、変形対象部分が広く、中間シール部２４の形態が大きく変化する。一方、蓋体３及び内蓋体１４は、光透過性を有する材料、すなわち透明又はそれに近い状態の合成樹脂によって形成されている。このため、基板ボックス１の外部からであっても、蓋体３を通じて、基板ボックス１の内部の状態を見ることが可能であり、さらには内蓋体１４を通じて、内ボックス１２の内部の状態を見ることが可能である。
【００６７】
従って、蓋体３の取外し前における封印シール２１の形態と、そのときどきの封印シール２１の形態とを比較することにより、すなわち、中間シール部２４の状態（破断の有無）を目視で比較することにより、基板ボックス１の開封の有無を判別することができる。両形態に違いがなければ（中間シール部２４が破断されていなければ）、基板ボックス１が開封されておらず、違いがあれば（破断されていれば）開封されたことがわかる。特に、本実施形態では、前述したように中間シール部２４の形態が大きく変化することから、その変化した形態が目立つ。このため、基板ボックス１の開封の有無の判別がしやすい。
【００６８】
タッピングねじ４が後退しながら約１回転すると、突起３３が図３の二点鎖線で示す位置に至り、連結部３５がストッパ３７に当たる。この接触により、回転体２８のそれ以上の反時計周り方向への回転が止まる。引き続き、タッピングねじ４を回すと、同ねじ４のみが後退してねじ止め部５、内ボックス１２及び蓋体３から抜け出る。仮に、ストッパ３７や突起３３がないと、回転体２８がタッピングねじ４と一体回転し続け、両者２８，４が分離しないおそれがある。これに対し、本実施形態では、上述したようにストッパ３７及び突起３３の存在により、回転体２８の回転が止まる。このため、タッピングねじ４を回転体２８から分離し、蓋体３から抜出すことができる。これにともない、ボックス本体２から蓋体３を取外すことが可能となる。パチンコホールにおいて、メモリの不正交換の有無を検査する際には蓋体３を外す必要があるが、この場合であっても、前記のようにしてタッピングねじ４を抜出すことにより問題なく対処できる。
【００６９】
なお、ボックス本体２から蓋体３を取外すだけであれば、必ずしも内ボックス１２や蓋体３から抜出さなくてもよい。この場合には、前述したように回転体２８の反時計周りの回転を止めなくても、タッピングねじ４をねじ止め部５から抜出して、蓋体３を取外すことができる。
【００７０】
ところで、開封後に封印シール２１を開封前と同じ形態に戻しておけば、基板ボックス１を開封したにもかかわらず、その開封の形跡がわかりにくくなり、開封されたことが知られる可能性が低い。そこで、中間シール部２４が破断して形態の変化した封印シール２１を元の形態に戻すことが考えられる。この作業のしやすさは、その封印シール周りの空間の広さに影響される。封印シールが基板ボックスの外面において、ボックス本体及び蓋体にまたがって貼付けられている場合（従来技術に相当）には、その周りに十分な空間があることから、前記の修復作業が比較的しやすい。
【００７１】
これに対し、本実施形態では、封印シール２１が基板ボックス１の内部に貼付けられていて、その周りの空間は、基板ボックス１の外の空間よりも狭い。このため、一旦破断した中間シール部２４を元の状態又はそれに近い状態に戻して、破断されていないかのように見せる作業は、基板ボックスの外部で剥がされた封印シール２１を貼り直す作業よりも手間がかかる。その結果、開封動作にともない変化した封印シール２１の形態が完全には元通りにならず、開封の形跡としてより一層残りやすい。このように、本実施形態によると、開封の形跡が見やすい形で確実に残り、基板ボックス１の開封の有無を一見して判別することができる。従って、遊技内容を変更する不正行為のチェックが迅速に行えるようになって、不正行為の発見が容易となる。また、このことが抑止力となって、不正行為の発生を未然に防止する効果も期待できる。
【００７２】
特に、本実施形態では、封印シール２１が内ボックス１２の内部に貼付けられているうえに、この内ボックス１２が基板ボックス１内に配置されていることから、封印シール２１の周りの空間はさらに狭く、前記の修復作業は非常にしにくいものとなる。その結果、開封動作にともない変化した封印シール２１の形態を元通りにするのは非常に困難である。開封の形跡が残りやすいため、開封の有無の判別が容易に行える。
【００７３】
なお、本発明は次に示す別の実施形態に具体化することができる。
（１）基板ボックス１の内部において、内ボックス１２を用いることなく、封印シール２１を貼付けてもよい。例えば、蓋体３とボックス本体２とにまたがって封印シール２１を貼付けたり、制御基板９と蓋体３とにまたがって封印シール２１を貼付けたりしてもよい。この場合にも、蓋体３を外そうとすると、前記実施形態と同様に、封印シール２１が剥がれたり破れたりする。
【００７４】
（２）回転体２８及び回転阻止部の構成を変更してもよい。その一例を図４に示す。なお、前記実施形態と同様の部材については、同一の符号を付して説明を省略する。
【００７５】
回転体２８の本体部２９の外周には、その全周にわたって、前記突起３３に代えて、鋸刃状をなす多数の係止部４１が形成されている。内ボックス本体１３の内部において、回転体２８の側方近傍には、ロック部材４２が軸４３により、回転体２８に接近及び離間する方向に回動自在に支持されている。内ボックス本体１３には、ロック部材４２を常に回転体２８側へ付勢する弾性部材が設けられている。弾性部材としては、例えば、図４に示すような板ばね４４が用いられてもよい。また、軸４３上にねじりコイルばねが取付けられ、その一端が固定され、他端がロック部材４２に掛止されてもよい。そして、これらのロック部材４２、軸４３及び板ばね４４によって回転阻止部が構成されている。開封検知具１１の初期状態では、ロック部材４２がいずれかの係止部４１に係止している。
【００７６】
上記構成に変更すると、タッピングねじを時計周り方向へ回すと、係止部４１がロック部材４２に当たって、それ以上の同方向への回転が阻止される。開封のためにタッピングねじ４を反時計周り方向へ回すと、係止部４１の傾斜部４１ａが板ばね４４の弾性に抗してロック部材４２を外方へ押上げる。このため、ロック部材４２による回転阻止機能が働かず、回転体２８が封印シールと一緒に回転する。この回転により、封印シールの中間シール部が破断する。従って、この場合にも前記実施形態と同様の作用及び効果を奏する。
【００７７】
（３）本発明は、制御基板を収容した基板ボックスを備える遊技機であれば、パチンコ遊技機に限らず適用可能である。
【００７８】
（４）前記実施形態では、前述したように封印シール２１に関し、十分に広い貼付対象面を確保するために、その封印シール２１を第１凹部１５と略同じ大きさにしている。このことを利用して、封印シール２１の表面に、線図、色分け又はぼかしにより構成される模様を付してもよい。この模様としては、例えば、ロゴ（会社名・商品名等を独特の字体・デザインで表したもの）が挙げられる。
【００７９】
（５）開封検知具１１においては、一度タッピングねじ４が抜出されたら、封印シール２１が変形することから、再度タッピングねじ４をねじ込んで使用することはできない。そのため、パチンコホールにおいて、メモリの不正交換の有無を検査するために、２度以上蓋体３が外されることが予めわかっている場合には、複数の開封検知具１１を基板ボックス１内に組込んでおくことが有効である。
【００８０】
この場合、全部の開封検知具１１に一度にタッピングねじ４をねじ込むのではなく、特定の開封検知具１１にのみねじ込み、他の開封検知具に関しては、タッピングねじ４がねじ込まれていない状態（未使用状態）にしておく。そして、上記検査等を目的として蓋体３を外すために、開封検知具１１及び蓋体３からタッピングねじ４を抜出したら、そのタッピングねじ４を未使用状態の開封検知具のいずれかにねじ込む。蓋体３を外すたびにこの作業を行えば、数回の検査にも対応することができる。数回とは、開封検知具１１の数から１を減じた数であり、例えば開封検知具１１の数が「４」の場合、３回までの検査に対応できる。
【００８１】
（６）上述した（５）とも関連するが、開封検知具１１と、従来技術で説明したかしめ切断とを組合せてもよい。このようにすれば、開封の形跡を残さないようにする作業が一層困難となり、基板ボックス１の開封の有無の判別がより容易になる。例えば、図５に示すように、基板ボックス１の内部には、そのボックス本体の相対向する側壁部５１，５２に沿って、複数（一方の側壁部につき４つ）の開封検知具１１が並べられている。また、ボックス本体及び蓋体において対応する一方の側壁部に、円筒状の封印部材５３ａ，５３ｂ，５３ｃ，５３ｄが形成され、これらに、封印ねじ５５の回転を伝達・遮断する機構が組込まれている。同様に、他方の側壁部に円筒状の封印部材５４ａ，５４ｂ，５４ｃ，５４ｄが形成され、これらに、封印ねじ５６の回転を伝達・遮断する機構が組込まれている。
【００８２】
この場合、各側壁部５１，５２に関し、全部の封印部材５３ａ〜５３ｄ、５４ａ〜５４ｄに一度に封印ねじ５５，５６をねじ込むのではなく、特定の封印部材にのみねじ込み、他の封印部材に関しては封印ねじがねじ込まれていない状態（未使用状態）にしておく。そして、上記検査等を目的として蓋体３を外す際には、封印ねじ５５，５６によって連結された両封印部材の根元部分を切断し、両封印部材を封印ねじ５５，５６ごと、ボックス本体及び蓋体から分離する。未使用状態のいずれかの両封印部材に封印ねじ５５，５６をねじ込んで連結する。蓋体３を外すためにこの作業を行えば、数回の検査にも対応することができる。
【００８３】
なお、封印部材５３ａ〜５３ｄ、５４ａ〜５４ｄ及び封印ねじ５５，５６は、開封検知具１１の配列方向に沿って順に使用されることが好ましい。さらには、その順序は、封印部材５３ａ〜５３ｄと５４ａ〜５４ｄとで逆の方が好ましい。例えば、図５において、上側の封印部材５３ａ〜５３ｄが左から右に向けて順に使用される場合には、下側の封印部材５４ａ〜５４ｄは、右から左に向けて順に使用されることが好ましい。
【００８４】
（７）上記（５）と同様の効果は、１つの開封検知具によっても得ることができる。この場合には、細長い内ボックスを用い、その内部に複数個の回転体を配置する。封印シールは回転体と同数設けられてもよいし、１枚の細長いものが全回転体共通の封印シールとされてもよい。後者の場合、一度に封印シールを全部の回転体に貼ることができ、作業性がよい。
【００８５】
（８）突起３３及びストッパ３７の形状を適宜変更してもよい。その一例を図６に示す。ここでは、円弧部３４の半分（図３の左半分）が除去され、これに対応して、ストッパ３７の円弧状部分の半分が除去されている。このようにしても、前記実施形態と同様の作用及び効果が得られる。
【００８６】
（９）蓋体３をタッピングねじ４によってボックス本体２に締結する前に、予め孔３１の壁面に粘着剤、接着剤等を塗布しておいてもよい。このようにすれば、タッピングねじ４を締まる方向へ回す際には、接着剤等が硬化しておらず抵抗が小さい。このため、回転体２８はタッピングねじ４と一体回転しない。しかし、タッピングねじ４を緩まる方向へ回す際には、接着剤等が硬化していて抵抗が大きいため、回転体２８がそのタッピングねじ４と一体回転しやすくなる。
【００８７】
【発明の効果】
以上のように、本発明によれば、開封の形跡が見やすい形で確実に残り、基板ボックスの開封の有無を一見して判別することができる。
【図面の簡単な説明】
【図１】本発明の一実施形態における基板ボックスの部分断面図である。
【図２】開封検知具の一部を破断して示す分解斜視図である。
【図３】開封検知具の内ボックス本体に回転体を組付けた状態を示す正面図である。
【図４】開封検知具の別の実施形態を示す図であり、図３に対応する正面図である。
【図５】開封検知具及びかしめ切断により開封を検知するようにした基板ボックスの別の実施形態において、中間部分を省略して示す概略平面図である。
【図６】突起及びストッパの形状を変更した別の実施形態を示す図であり、図３に対応する正面図である。
【符号の説明】
１  基板ボックス
２  ボックス本体
２ａ  開口
３  蓋体
９  制御基板
２１  封印手段としての封印シール
２７  荷重伝達部としての回転伝達部
【図１】
0004045986.tif 000002
【図２】
0004045986.tif 000003
【図３】
0004045986.tif 000004
【図４】
0004045986.tif 000005
【図５】
0004045986.tif 000006
【図６】
0004045986.tif 000007